(57)【特許請求の範囲】
【請求項１】
複数のプロセス色のうちの３つの色の網点の刷り重ねにより色を表現可能な印刷版を作製する製版方法であって、
前記３つの色のうちの２つの色の刷り重ねを、前記２つの色のうちの一方の色に抜きの網点を形成して、前記抜きの位置に他方の色の網点を刷り重ねる抜き合わせ方式とし、
前記３つの色のうちの残りの色と、前記２つの色との刷り重ねを、前記残りの色の網点の少なくとも一部が、前記一方の色の網点及び／又は前記他方の色の網点に乗る掛け合わせ方式とし、
前記一方の色は、互いに重複しない色相成分有する色で構成された第１色群に属し、
前記他方の色は、互いに重複しない色相成分を有する色であって前記第１色群に属する色とは異なる色で構成された第２色群に属する
ことを特徴とする、製版方法。
【請求項２】
前記複数のプロセス色は、シアン、マゼンタ、イエロー、レッド、グリーン、ブルー及びブラックの７つの色であり、
前記第１色群は、シアン、マゼンタ及びイエローで構成され、
前記第２色群は、レッド、グリーン及びブルーで構成され、
前記残りの色は、ブラックである
ことを特徴とする、請求項１に記載の製版方法。
【請求項３】
前記残りの色の網点は、前記２つの色の網点とは異なるスクリーン角度で配置される
ことを特徴とする、請求項１又は請求項２に記載の製版方法。
【請求項４】
複数のプロセス色のうちの３つの色の網点の刷り重ねにより色を表現可能な印刷版を作製する製版方法であって、
前記３つの色のうちの２つの色の刷り重ねを、前記２つの色のうちの一方の色に抜きの網点を形成して、前記抜きの位置に他方の色の網点を刷り重ねる抜き合わせ方式とし、
前記３つの色のうちの残りの色と、前記２つの色との刷り重ねを、前記残りの色の網点の少なくとも一部が、前記一方の色の網点及び／又は前記他方の色の網点に乗る掛け合わせ方式とし、
前記残りの色の網点は、前記２つの色の網点とは異なるスクリーン角度で配置される
ことを特徴とする、製版方法。
【請求項５】
前記印刷版の被印刷物は、２ピース缶又は金属板である
ことを特徴とする、請求項１〜４の何れか１項に記載の製版方法。
【請求項６】
複数のプロセス色のうちの３つの色の網点の刷り重ねにより色を表現可能な印刷版を作製する製版方法であって、
前記３つの色のうちの２つの色の刷り重ねを、前記２つの色のうちの一方の色に抜きの網点を形成して、前記抜きの位置に他方の色の網点を刷り重ねる抜き合わせ方式とし、
前記３つの色のうちの残りの色と、前記２つの色との刷り重ねを、前記残りの色の網点の少なくとも一部が、前記一方の色の網点及び／又は前記他方の色の網点に乗る掛け合わせ方式とし、
前記印刷版の被印刷物は、２ピース缶又は金属板である
ことを特徴とする、製版方法。
【請求項７】
複数のプロセス色のうちの３つの色の網点の刷り重ねにより色を表現可能な印刷版を作製する製版システムであって、
前記３つの色のうちの２つの色の刷り重ねは、前記２つの色のうちの一方の色に抜きの網点を形成して、前記抜きの位置に他方の色の網点を刷り重ねる抜き合わせ方式とし、
前記３つの色のうちの残りの色と、前記２つの色との刷り重ねは、前記残りの色の網点の少なくとも一部が、前記一方の色の網点及び／又は前記他方の色の網点に乗る掛け合わせ方式とし、
前記残りの色の網点は、前記２つの色の網点とは異なるスクリーン角度で配置される
ことを特徴とする、製版システム。
【請求項８】
複数のプロセス色のうちの３つの色の網点の刷り重ねにより色を表現可能な印刷版を作製する製版システムであって、
前記３つの色のうちの２つの色の刷り重ねは、前記２つの色のうちの一方の色に抜きの網点を形成して、前記抜きの位置に他方の色の網点を刷り重ねる抜き合わせ方式とし、
前記３つの色のうちの残りの色と、前記２つの色との刷り重ねは、前記残りの色の網点の少なくとも一部が、前記一方の色の網点及び／又は前記他方の色の網点に乗る掛け合わせ方式とし、
前記印刷版の被印刷物は、２ピース缶又は金属板である
ことを特徴とする、製版システム。
【請求項９】
複数のプロセス色のうちの３つの色の網点の刷り重ねにより色を表現する印刷が施された缶体であって、
前記３つの色のうちの２つの色の刷り重ねは、前記２つの色のうちの一方の色に抜きの網点を形成して、前記抜きの位置に他方の色の網点を刷り重ねる抜き合わせ方式で行われ、
前記３つの色のうちの残りの色と、前記２つの色との刷り重ねは、前記残りの色の網点の少なくとも一部が、前記一方の色の網点及び／又は前記他方の色の網点に乗る掛け合わせ方式で行われる
ことを特徴とする、缶体。
【発明の詳細な説明】
【技術分野】
【０００１】
本発明は、製版方法、製版システム及び缶体に関する。
【背景技術】
【０００２】
多色印刷を行う印刷機に取り付けられる印刷版は、複数のプロセス色の刷り重ねにより色を表現可能なように作製される（例えば、特許文献１）。
【０００３】
特許文献１には、色分解した基本４色の画像データを網点化した後、互いに重複しない７色の画像データに色変更し、色変更させた７色の画像データに対して、インキの滲みや印刷機の機械的ズレによりインキの混濁が発生しないよう画像収縮処理を行い、該収縮処理を行った画像データに基づいて色毎の印刷版を作製する、製版方法が記載されている。
【先行技術文献】
【特許文献】
【０００４】
【特許文献１】特公平７−５７５４３号公報
【発明の概要】
【発明が解決しようとする課題】
【０００５】
特許文献１に記載の技術では、網点化した画像データに対して画像収縮処理を行うため、下地の色が露出し易く、再現可能な色の領域である色域が制限され易い。逆に、特許文献１に記載の技術では、広い色域を確保するために画像収縮処理を行わないと、インキの混濁が発生し易くなる。また、特許文献１に記載の技術では、網点化した画像データに対して画像収縮処理を行わないと、７色の網点が刷り重なるためモアレが発生し易い。
【０００６】
本発明は、上述の事情に鑑みてなされたものであり、上述のような問題点を解決することを課題の一例とする。すなわち、本発明の課題の一例は、プロセス色だけで広い色域を確保しつつ、モアレの発生を抑制し、且つ、インキの混濁を抑制することが可能な印刷版を作製することである。また、本発明の課題の一例は、プロセス色だけで広い色域を確保しつつ、モアレの発生を抑制し、且つ、インキの混濁を抑制することが可能な手法で印刷された缶体を提供することである。
【課題を解決するための手段】
【０００７】
本発明に係る製版方法は、複数のプロセス色のうちの３つの色の網点の刷り重ねにより色を表現可能な印刷版を作製する製版方法であって、前記３つの色のうちの２つの色の刷り重ねを、前記２つの色のうちの一方の色に抜きの網点を形成して、前記抜きの位置に他方の色の網点を刷り重ねる抜き合わせ方式とし、前記３つの色のうちの残りの色と、前記２つの色との刷り重ねを、前記残りの色の網点の少なくとも一部が、前記一方の色の網点及び／又は前記他方の色の網点に乗る掛け合わせ方式とすることを特徴とする。
【０００８】
好適には、前記製版方法において、前記一方の色は、互いに重複しない色相成分を有する色で構成された第１色群に属し、前記他方の色は、互いに重複しない色相成分を有する色であって前記第１色群に属する色とは異なる色で構成された第２色群に属することを特徴とする。
【０００９】
好適には、前記製版方法において、前記複数のプロセス色は、シアン、マゼンタ、イエロー、レッド、グリーン、ブルー及びブラックの７つの色であり、前記第１色群は、シアン、マゼンタ及びイエローで構成され、前記第２色群は、レッド、グリーン及びブルーで構成され、前記残りの色は、ブラックであることを特徴とする。
【００１０】
好適には、前記製版方法において、前記残りの色の網点は、前記２つの色の網点とは異なるスクリーン角度で配置されることを特徴とする。
【００１１】
好適には、前記製版方法において、前記印刷版の被印刷物は、２ピース缶又は金属板であることを特徴とする。
【００１２】
本発明に係る製版システムは、複数のプロセス色のうちの３つの色の網点の刷り重ねにより色を表現可能な印刷版を作製する製版システムであって、前記３つの色のうちの２つの色の刷り重ねは、前記２つの色のうちの一方の色に抜きの網点を形成して、前記抜きの位置に他方の色の網点を刷り重ねる抜き合わせ方式とし、前記３つの色のうちの残りの色と、前記２つの色との刷り重ねは、前記残りの色の網点の少なくとも一部が、前記一方の色の網点及び／又は前記他方の色の網点に乗る掛け合わせ方式とすることを特徴とする。
【００１３】
本発明に係る缶体は、複数のプロセス色のうちの３つの色の網点の刷り重ねにより色を表現する印刷が施された缶体であって、前記３つの色のうちの２つの色の刷り重ねは、前記２つの色のうちの一方の色に抜きの網点を形成して、前記抜きの位置に他方の色の網点を刷り重ねる抜き合わせ方式で行われ、前記３つの色のうちの残りの色と、前記２つの色との刷り重ねは、前記残りの色の網点の少なくとも一部が、前記一方の色の網点及び／又は前記他方の色の網点に乗る掛け合わせ方式で行われることを特徴とする。
【発明の効果】
【００１４】
本発明によれば、プロセス色だけで広い色域を確保しつつ、モアレの発生を抑制し、且つ、インキの混濁を抑制することが可能な印刷版を作製することができる。また、本発明によれば、プロセス色だけで広い色域を確保しつつ、モアレの発生を抑制し、且つ、インキの混濁を抑制することが可能な手法で印刷された缶体を提供することができる。
【図面の簡単な説明】
【００１５】
【図１】本実施形態に係る製版システムの構成を示す図である。
【図２】色相環分解を説明するための図である。
【図３】色相環分解での色分解により抽出される各色の成分範囲を、第１色群及び第２色群のそれぞれにまとめた図である。
【図４】色相環分解での色分解により抽出された２つの色を、抜き合わせ方式又は掛け合わせ方式で刷り重ねた例を説明するための図である。
【図５】ターゲットとなる色の色分解の具体例を説明するための図である。
【図６】図１に示された製版システムを用いて印刷版を作製する製版方法の流れを示す図である。
【発明を実施するための形態】
【００１６】
以下、本発明の実施形態について、図面を参照しながら説明する。以下に説明される実施形態は、本発明のいくつかの例を示すものであって、本発明の内容を限定するものではない。また、実施形態で説明される構成及び動作の全てが本発明の構成及び動作として必須であるとは限らない。
【００１７】
［製版システムの構成］
図１は、本実施形態に係る製版システム１の構成を示す図である。
【００１８】
製版システム１は、版式の印刷機に取り付けられる印刷版を作製するシステムである。製版システム１は、ＤＴＰ（Desktop Publishing）及びＣＴＰ（Computer To Plate）を採用したシステムである。製版システム１は、多色印刷用の印刷版を作製するシステムである。
【００１９】
製版システム１で作製される印刷版の被印刷物は、２ピース缶等の略円筒形状を有する缶体、又は、平板の金属板である。また、製版システム１は、中間転写体を介してインキを転写するオフセット印刷機、又は、中間転写体を使用しない非オフセット印刷機に取り付けられる印刷版を作製するシステムである。
【００２０】
図１には、２ピース缶等の略円筒形状を有する缶体を被印刷物とし、缶体の外周面に対して、中間転写体を介してインキを転写するオフセット印刷機３０に取り付けられる印刷版を作製する製版システム１が例示されている。図１に示された製版システム１で作製される印刷版は、インキが乗らない非画線部がシリコーン樹脂層等にて形成され、湿し水を使用しない水無し平版であると好適である。また、図１に示された製版システム１で作製される印刷版は、インキが乗る画線部が感光性樹脂層等にて形成された樹脂凸版であってもよい。
【００２１】
製版システム１は、原稿画像データに各種画像処理を施して製版用の画像データを作成するデータ処理装置１０と、製版用の画像データに応じて印刷版を作製する版作製装置２０とを備える。
【００２２】
データ処理装置１０は、ページ記述言語で表された原稿画像データに対し、レイアウト及び色調の補正等の編集を行う。そして、データ処理装置１０は、色分解等を行う分版処理、並びに、各色の濃淡を網点の集合で表す網点化処理を行って、製版用の画像データを作成し、版作製装置２０へ送信する。データ処理装置１０は、プロセッサ及び記憶装置を含むと共に、データ処理装置１０の機能を実装したプログラムを含んで構成される。
【００２３】
データ処理装置１０は、分版処理を行う分版処理部１１と、網点化処理の条件を設定する網点化条件設定部１２と、網点化処理を行う網点化処理部１３と、版作製装置２０へのデータの送信処理を行う送信処理部１４とを備える。
【００２４】
分版処理部１１は、編集された原稿画像データをプロセス色毎に色分解し、色分解により抽出された色毎の画像データである分版画像データを作成する。本実施形態のプロセス色は、例えば、シアンＣ、マゼンタＭ、イエローＹ、レッドＲ、グリーンＧ、ブルーＢ及びブラックＫの７つの色である。色分解の詳細については、図２〜図５を用いて後述する。
【００２５】
網点化条件設定部１２は、分版処理部１１にて作成された分版画像データを網点化する際の条件である網点化条件を設定する。網点化条件は、各色の分版画像データ毎に設定される。網点化条件には、色毎の網点形状、網点面積率、スクリーン線数及びスクリーン角度の他、抜き合わせ方式及び掛け合わせ方式に関する条件が含まれる。
【００２６】
製版システム１は、色分解により抽出された各プロセス色のインキを刷り重ねることによって、色分解により抽出された各プロセス色以外の色を表現し得る印刷版を作製する。この際、製版システム１は、図２〜図５を用いて後述する手法により色分解を行うと、表現するべきターゲットとなる色を、色分解により抽出された各プロセス色のうちの２つの色の刷り重ね、又は、３つの色の刷り重ねで表現し得る印刷版を作製することができる。
【００２７】
製版システム１は、色分解により抽出された各プロセス色のうちの２つの色の刷り重ねによってターゲットの色を表現する場合、この２つの色を抜き合わせ方式で刷り重ねることが可能な印刷版を作製する。また、製版システム１は、色分解により抽出された各プロセス色のうちの３つの色の刷り重ねによってターゲットの色を表現する場合、この３つの色のうちの２つの色を抜き合わせ方式で刷り重ねると共に、残りの１つの色を掛け合わせ方式で刷り重ねることが可能な印刷版を作製する。
【００２８】
抜き合わせ方式は、刷り重ねる２つの色のうちの一方の色に抜きの網点を形成して、この抜きの網点が形成された位置に、他方の色の網点を刷り重ねる手法である。抜き合わせ方式では、一方の色のインキと他方の色のインキとが極力接触せずに、刷り重ねられる。
【００２９】
掛け合わせ方式は、刷り重ねる２つの色の何れにも抜きの網点を形成せずに刷り重ねる手法である。掛け合わせ方式では、刷り重ねる２つの色のうちの一方の色の網点に、他方の色の網点の少なくとも一部が乗るため、一方の色のインキと他方の色のインキとが接触して、刷り重ねられる。
【００３０】
網点化条件設定部１２は、抜き合わせ方式の対象となる２つの色、及び、掛け合わせ方式の対象となる色の各分版画像データを指定する。そして、網点化条件設定部１２は、指定された分版画像データの画素毎に、網点面積率を設定する。抜き合わせ方式及び掛け合わせ方式に関する網点化条件の詳細については、図２〜図５を用いて後述する。
【００３１】
網点化処理部１３は、網点化条件設定部１２にて設定された網点化条件に応じて、分版処理部１１にて作成された分版画像データを網点化する。網点化された画像データは、例えば、１ｂｉｔＴＩＦＦ（Tagged Image File Format）等の２値データである。この網点化された画像データは、版作製装置２０が印刷版を作製する際に製版用の画像データとして使用される。網点化処理部１３は、ソフトウェアＲＩＰ（Raster Image Processor）等により構成されてよい。
【００３２】
網点化処理部１３は、抜き合わせ方式の対象となる２つの色のそれぞれの分版画像データを網点化する際、２つの色のうちの一方の色と他方の色とを異なる条件で網点化する。具体的には、網点化処理部１３は、２つの色のうちの一方の色の分版画像データを網点化する際、一方の色の分版画像データにおいて、一方の色の濃淡を反転させた反転画像データを一旦作成し、作成された反転画像データをネガ条件で網点化する。ネガ条件は、色の濃度が低い画素ほど網点面積率を高くする条件である。これに対し、網点化処理部１３は、２つの色のうちの他方の色の分版画像データを網点化する際、他方の色の分版画像データをそのままポジ条件で網点化する。ポジ条件は、色の濃度が高い画素ほど網点面積率を高くする条件である。
【００３３】
送信処理部１４は、網点化処理部１３にて網点化された画像データを、製版用の画像データとして版作製装置２０へ送信する処理を行う。
【００３４】
版作製装置２０は、データ処理装置１０の送信処理部１４から送信された画像データ、すなわち、色毎に網点化された画像データに応じて、色毎の印刷版を作製する。版作製装置２０は、上述の水無し平版を作製する装置であると好適である。版作製装置２０は、色毎に網点化された画像データに基づいて、シリコーン樹脂層にレーザ露光を行い、硬化したシリコーン樹脂層を剥離させて現像することにより、画線部及び非画線部を形成することによって、印刷版を作製することができる。
【００３５】
［色分解と抜き合わせ方式及び掛け合わせ方式とについて］
図２は、色相環分解を説明するための図である。図３は、色相環分解での色分解により抽出される各色の成分範囲を、第１色群及び第２色群のそれぞれにまとめた図である。図４は、色相環分解での色分解により抽出された２つの色を、抜き合わせ方式又は掛け合わせ方式で刷り重ねた例を説明するための図である。
【００３６】
分版処理部１１は、原稿画像データを色分解する際、原稿画像データを明度成分と色相成分とに分けて分解する。具体的には、分版処理部１１は、ＧＣＲ（gray component replacement）により明度成分をブラックＫの成分として抽出すると共に、色相環分解により、色相成分をシアンＣ、マゼンタＭ、イエローＹ、レッドＲ、グリーンＧ又はブルーＢの成分として抽出する。
【００３７】
色相環分解は、ターゲットとなる色の色相成分を、色相環を基準として、シアンＣ、マゼンタＭ、イエローＹ、レッドＲ、グリーンＧ又はブルーＢの各成分にバランスよく分解し、抽出する手法である。色相環分解は、ターゲットとなる色の色相成分をシアンＣ、マゼンタＭ、イエローＹの各成分で表すと共に、マゼンタＭ及びイエローＹの混色部分をレッドＲの成分、イエローＹ及びシアンＣの混色部分をグリーンＧの成分、シアンＣ及びマゼンタＭの混色部分をブルーＢの成分にそれぞれ置き換える。
【００３８】
色相環分解は、シアンＣ、マゼンタＭ及びイエローＹという減色混合の３原色と、レッドＲ、グリーンＧ及びブルーＢという加色混合の３原色とを用いて、ターゲットの色相成分をバランスよく色分解するため、色相環で表される全ての色を原則として再現でき、広い色域を確保することができる。よって、本実施形態では、シアンＣ、マゼンタＭ、イエローＹ、レッドＲ、グリーンＧ及びブルーＢの６つの色とブラックＫとの７つの色をプロセス色とし、これらの色を刷り重ねることで、プロセス色以外の色を表現する。
【００３９】
図２（ａ）には、色相環を色相環分解で色分解した場合に、シアンＣ、マゼンタＭ、イエローＹ、レッドＲ、グリーンＧ及びブルーＢのそれぞれで抽出される成分の範囲が示されている。図２（ｂ）には、色相環をシアンＣ、マゼンタＭ、イエローＹだけで色分解した場合に、シアンＣ、マゼンタＭ及びイエローＹのそれぞれで抽出される成分の範囲が示されている。
【００４０】
図２（ａ）と図２（ｂ）とを比較すると、色相環を色相環分解で色分解した場合は、色相環をシアンＣ、マゼンタＭ、イエローＹだけで色分解した場合と比べて、各色で抽出される成分の範囲が狭くなっていることが分かる。このため、色相成分を色相環分解で色分解することにより、ブラックＫ以外の２つの色を掛け合わせ方式で刷り重ねる際に、この２つの色のうちの一方の色と他方の色との重なり部分の面積が小さくて済む。よって、色相成分を色相環分解で色分解することにより、広い色域を確保しつつ、ブラックＫ以外のインキの混濁を抑制することができる。
【００４１】
ここで、本実施形態では、色相成分を色相環分解で色分解して抽出される６つの色のうち、減色混合の３原色であるシアンＣ、マゼンタＭ及びイエローＹで構成された色群を第１色群とし、これらと補色の関係にあり加色混合の３原色であるレッドＲ、グリーンＧ及びブルーＢで構成された色群を第２色群とする。
【００４２】
第１色群を構成するシアンＣ、マゼンタＭ及びイエローＹのそれぞれの成分範囲は、図３において離間して示されるように、互いに重複しない。同様に、第２色群を構成するレッドＲ、グリーンＧ及びブルーＢのそれぞれの成分範囲は、図３において離間して示されるように、互いに重複しない。すなわち、第１色群は、互いに重複しない色相成分を有する色であるシアンＣ、マゼンタＭ及びイエローＹで構成され、第２色群は、互いに重複しない色相成分を有する色であるレッドＲ、グリーンＧ及びブルーＢで構成される。
【００４３】
上述のように、色相環分解での色分解により抽出されたブラックＫ以外の２つの色を掛け合わせ方式で刷り重ねると、色の重なり部分の面積が小さくて済むが、色域を確保するにはある程度の色の重なりは避けられず、刷り重ねられるとインキの混濁が発生する可能性が有る。但し、この２つの色が抜き合わせ方式で刷り重ねられると、この２つの色は、それぞれのインキが極力接触せずに刷り重ねられ得る。また、上述の第１色群に属する１つの色と第２色群に属する１つの色とが抜き合わせ方式で刷り重ねられる場合は、減色混合の３原色であるシアンＣ、マゼンタＭ及びイエローＹのうちの２つの色が抜き合わせ方式で刷り重ねられる場合と比較して、より色調の近い２つの色が抜き合わせ方式で刷り重ねられるため、この２つの色が接触してもインキの混濁が生じ難くなり得る。
【００４４】
そこで、製版システム１では、原稿画像データの色相成分を、色相環分解での色分解により抽出されたブラックＫ以外の２つの色の刷り重ねにより表現する際、網点化条件設定部１２は、この２つの色が抜き合わせ方式で刷り重ねられるよう設定する。特に、この２つの色のうちの一方の色が第１色群に属し、他方の色が第２色群に属する場合には、網点化条件設定部１２は、第１色群に属する一方の色と、第２色群に属する他方の色とが抜き合わせ方式で刷り重ねられるよう設定する。それにより、製版システム１では、色域が広く、インキの混濁を極力抑制することが可能な印刷版を作製することができる。
【００４５】
図４（ａ）には、色相環分解での色分解により抽出されたシアンＣとグリーンＧとを、抜き合わせ方式で刷り重ねた例が示されている。図４（ａ）の例では、シアンＣ及びグリーンＧの一方の色に他方の色が乗る箇所には抜きが形成され、シアンＣ及びグリーンＧの他方の色の網点が、一方の色の抜きが形成された部分に位置していることが分かる。
【００４６】
図４（ｂ）には、色相環分解で色分解することにより抽出されたシアンＣとグリーンＧとを、図４（ａ）と同じ網点面積率を設定し、掛け合わせ方式で刷り重ねた例が示されている。図４（ｂ）の例では、シアンＣ及びグリーンＧの一方の色の網点に、他方の色の網点の少なくとも一部が乗っていることが分かる。更に、図４（ｂ）の例では、下地の色であるホワイトＷが露出していることが分かる。
【００４７】
図４（ａ）と図４（ｂ）とを比較すると、抜き合わせ方式では、インキ同士の接触が抑制されると共に下地の色が隠蔽され易いため、掛け合わせ方式と比べて色域が広く平網でも高い濃度感が得られる。
【００４８】
また、製版システム１では、分版処理部１１が、原稿画像データの明度成分をＧＣＲによりブラックＫの成分として抽出する。製版システム１は、抽出されたブラックＫを、色相成分を表現するブラックＫ以外の色に刷り重ねることによって、原稿画像データの明度成分を表現し得るように印刷版を作製する。製版システム１では、原稿画像データの明度成分を表現する際、網点化条件設定部１２は、色相成分を表現するブラックＫ以外の色に対して、ブラックＫが掛け合わせ方式により刷り重ねられるよう設定する。掛け合わせ方式とすることで、ブラックＫの網点のスクリーン角度やスクリーン線数を、ブラックＫ以外の２つの色の網点のスクリーン角度やスクリーン線数に合わせる必要がなく、自由に設定できるようになる。この際、網点化条件設定部１２は、ブラックＫの網点のスクリーン角度やスクリーン線数を、モアレの発生が抑制できる値に設定する。モアレの発生を抑制するためには、ブラックＫの網点を、抜き合わせ方式で刷り重ねられるブラックＫ以外の２つの色の網点とは異なるスクリーン角度とすることが好適である。
【００４９】
ブラックＫのインキに対してブラックＫ以外の色のインキが乗ると、ウェットなブラックＫのインキが、ブラックＫ以外の色の印刷版に転移し、この印刷版からフォームローラ等を経由して、ブラックＫ以外の色のインキ壺に混入する可能性が有る。すると、ブラックＫ以外の色のインキは、ブラックＫのインキと混濁してしまい、その色調が低下して、直ちに使用不能となる可能性が有る。
【００５０】
これに対し、ブラックＫ以外のインキに対してブラックＫのインキが乗ると、ウェットなブラックＫ以外の色のインキが、ブラックＫの印刷版に転移しインキ壺に混入しても、ブラックＫのインキの色調は余り変わらず、直ちに使用不能となり難い。このため、ブラックＫ以外のインキに対してブラックＫのインキが乗る場合であれば、上述の場合よりも、インキの混濁を抑制することができる。
【００５１】
そこで、製版システム１は、原稿画像データの明度成分を表現する際、網点化条件設定部１２が、色相成分を表現するブラックＫ以外の色に対して、ブラックＫが掛け合わせ方式により刷り重ねられるよう設定する。それにより、製版システム１は、モアレの発生を抑制しつつ、ブラックＫ以外の色のインキがブラックＫと混濁することを抑制することが可能な印刷版を作製することができる。
【００５２】
このようなことから、製版システム１では、分版処理部１１が、原稿画像データの色相成分を、シアンＣ、マゼンタＭ、イエローＹ、レッドＲ、グリーンＧ及びブルーＢの各成分に色相環分解で色分解する。そして、製版システム１では、原稿画像データの色相成分をブラックＫ以外の２つのプロセス色の刷り重ねで表現する際、網点化条件設定部１２が、この２つのプロセス色が抜き合わせ方式により刷り重ねられるよう設定する。更に、製版システム１では、原稿画像データの明度成分を表現する際、網点化条件設定部１２が、色相成分を表現するブラックＫ以外のプロセス色に対して、ブラックＫが掛け合わせ方式により刷り重ねられるよう設定する。
【００５３】
すなわち、製版システム１は、上述の７つのプロセス色のうちで、原稿画像データの色相成分を表現するブラックＫ以外の２つの色と、原稿データの明度成分を表現するブラックＫとの３つの色を刷り重ねることにより所定の色を表現するような印刷版を作製する。そして、製版システム１では、刷り重ねられる３つの色のうちの色相成分を表現する２つの色の刷り重ねを抜き合わせ方式とし、３つの色のうちの残りの色であるブラックＫと、色相成分を表現する２つの色との刷り重ねを掛け合わせ方式とする。そして、製版システム１では、原稿画像データの色相成分を表現するブラックＫ以外の２つの色を、第１色群に属するシアンＣ、マゼンタＭ及びイエローＹのうちの１つの色と、第２色群に属するレッドＲ、グリーンＧ及びブルーＢのうちの１つの色とにする。それにより、製版システム１では、プロセス色だけで広い色域を確保しつつ、モアレの発生を抑制し、且つ、インキの混濁を抑制することが可能な印刷版を作製することができる。
【００５４】
図５は、ターゲットとなる色の色分解の具体例を説明するための図である。
【００５５】
図５には、ターゲットの色が、濃度８０％のシアンＣ、濃度７０％のマゼンタＭ、及び、濃度５０％のイエローＹで構成されている例が示されている。各色の濃度の合算値は、２００％である。
【００５６】
このターゲットの色を色分解する場合、製版システム１は、まず、シアンＣ、マゼンタＭ及びイエローＹの３つの色の混色部分をＧＣＲによりブラックＫの成分として抽出する。それにより、ターゲットの色は、濃度５０％のブラックＫ、濃度３０％のシアンＣ、及び、濃度２０％のマゼンタＭで構成される色に置き換えられる。各色の濃度の合算値は、１００％に減少する。
【００５７】
次に、製版システム１は、シアンＣ及びマゼンタＭの２つの色の混色部分を色相環分解によりブルーＢの成分として抽出する。それにより、ターゲットの色は、濃度５０％のブラックＫ、濃度２０％のブルーＢ、及び、濃度１０％のシアンＣで構成される色に置き換えられる。各色の濃度の合算値は、８０％に減少する。
【００５８】
このように、製版システム１は、ＧＣＲ及び色相環分解により色分解することによって、プロセス色だけで広い色域を確保しつつ、モアレの発生を抑制し、インキの混濁を抑制することができると共に、インキの使用量を低減することが可能な印刷版を作製することができる。
【００５９】
［製版システムを用いた製版方法］
図６は、図１に示された製版システム１を用いて印刷版を作製する製版方法の流れを示す図である。
【００６０】
図６に示されたステップＳ６０１〜ステップＳ６０６は、データ処理装置１０に備えられたユーザインターフェースを介して入力されたユーザからの操作指令に基づき、データ処理装置１０によって実行されてもよい。図６に示されたステップＳ６０７は、版作製装置２０によって実行されてよい。
【００６１】
ステップＳ６０１において、製版システム１は、データ処理装置１０にて原稿画像データを入稿する。
【００６２】
ステップＳ６０２において、製版システム１は、入稿した原稿画像データの編集を行う。製版システム１は、被印刷物の印刷領域に合わせてレイアウトを修正したり、色調の補正を行ったりして、原稿画像データを編集する。
【００６３】
ステップＳ６０３において、製版システム１は、編集された原稿画像データに対して分版処理を行う。製版システム１は、編集された原稿画像データを、プロセス色毎に色分解し、色毎の分版画像データを作成する。
【００６４】
ステップＳ６０４において、製版システム１は、分版処理にて作成された分版画像データを網点化する際の網点化条件を設定する網点化条件設定処理を行う。特に、製版システム１は、抜き合わせ方式の対象となる一方の色及び他方の色のそれぞれの分版画像データを指定し、指定された分版画像データの画素毎に、一方の色及び他方の色の網点面積率を設定する。抜き合わせ方式の対象となる一方の色は、第１色群に属するシアンＣ、マゼンタＭ及びイエローＹのうちの１つの色であり、他方の色は、第２色群に属するレッドＲ、グリーンＧ及びブルーＢのうちの１つの色である。更に、製版システム１は、掛け合わせ方式の対象となる色の分版画像データを指定し、網点面積率、スクリーン線数及びスクリーン角度等を設定する。掛け合わせ方式の対象となる色は、ブラックＫである。
【００６５】
ステップＳ６０５において、製版システム１は、網点化設定処理にて設定された網点化条件に応じて、分版処理にて作成された分版画像データを網点化する。特に、製版システム１は、抜き合わせ方式の対象となる一方の色の分版画像データを網点化する際、一方の色の分版画像データにおいて、一方の色の濃淡を反転させた反転画像データを作成し、作成された反転画像データをネガ条件で網点化する。これに対し、製版システム１は、抜き合わせ方式の対象となる他方の色の分版画像データを網点化する際、他方の色の分版画像データをそのままポジ条件で網点化する。更に、製版システム１は、掛け合わせ方式の対象となる色の分版画像データを網点化する際、この分版画像データをそのままポジ条件で網点化する。
【００６６】
ステップＳ６０６において、製版システム１は、網点化処理にて網点化された画像データを、製版用の画像データとして、データ処理装置１０から版作製装置２０へ送信する送信処理を行う。
【００６７】
ステップＳ６０７において、製版システム１は、送信処理にて送信された画像データに応じて、版作製装置２０にて色毎の印刷版を作製する。図６に示された製版方法は、本ステップにて終了する。
【００６８】
［作用効果］
以上のように、本実施形態に係る製版システム１は、複数のプロセス色のうちの３つの色の網点の刷り重ねにより色を表現可能な印刷版を作製する製版システムである。そして、本実施形態に係る製版システム１は、この３つの色のうちの２つの色の刷り重ねを抜き合わせ方式とし、この３つの色のうちの残りの色と、抜き合わせ方式で刷り重ねられた２つの色との刷り重ねを掛け合わせ方式とする。それにより、製版システム１では、プロセス色だけで広い色域を確保しつつ、モアレの発生を抑制し、且つ、インキの混濁を抑制することが可能な印刷版を作製することができる。
【００６９】
更に、本実施形態に係る製版システム１は、抜き合わせ方式の対象となる一方の色が、互いに重複しない色相成分を有する色で構成された第１色群に属し、抜き合わせの対象となる他方の色が、互いに重複しない色相成分を有する色で構成された第２色群に属する。すなわち、一方の色と他方の色とが異なる色群に属し、これらの成分範囲が重複する可能性が有るが、本実施形態に係る製版システム１は、これらの成分範囲が重複する場合であっても、抜き合わせ方式によって、インキを極力接触させずに刷り重ねることができる。よって、本実施形態に係る製版システム１では、プロセス色だけで広い色域を確保しつつ、モアレの発生を抑制し、且つ、インキの混濁を更に抑制することが可能な印刷版を作製することができる。
【００７０】
更に、本実施形態に係る製版システム１では、複数のプロセス色が、シアンＣ、マゼンタＭ、イエローＹ、レッドＲ、グリーンＧ、ブルーＢ及びブラックＫの７つの色である。そして、本実施形態に係る製版システム１では、第１色群が、シアンＣ、マゼンタＭ及びイエローＹで構成され、第２色群が、レッドＲ、グリーンＧ及びブルーＢで構成され、上述の３つの色のうちの残りの色がブラックＫである。すなわち、本実施形態に係る製版システム１では、第１色群を減色混合の３原色で構成し、第２色群を加色混合の３原色で構成しているため、プロセス色だけで確保できる色域を更に拡大することが可能な印刷版を作製することができる。加えて、本実施形態に係る製版システム１では、掛け合わせ方式の対象となる色がブラックＫとなるため、ブラックＫ以外の色のインキがブラックＫと混濁することを更に抑制することが可能な印刷版を作製することができる。よって、本実施形態に係る製版システム１は、モアレの発生を抑制しつつ、プロセス色だけで確保できる色域を更に拡大し、且つ、インキの混濁を更に抑制することが可能な印刷版を作製することができる。
【００７１】
更に、本実施形態に係る製版システム１では、上述の３色のうちの残りの色の網点が、抜き合わせ方式の対象となる２つの色の網点とは異なるスクリーン角度で配置される。このため、本実施形態に係る製版システム１では、上述の３色のうちの残りの色の網点が、掛け合わせ方式により刷り重ねられても、モアレの発生を抑制することができる。よって、本実施形態に係る製版システム１は、プロセス色だけで広い色域を確保しつつ、インキの混濁を抑制し、且つ、モアレの発生を更に抑制することが可能な印刷版を作製することができる。
【００７２】
更に、本実施形態に係る製版システム１では、２ピース缶又は金属板を被印刷物とする印刷版を作製する。２ピース缶又は金属板の被印刷面は、インキの浸透性が無い面であるため、従来の印刷版では、プロセス色だけで色域を確保しつつ、インキの混濁を抑制することが、紙等の被印刷物の場合よりも大きな課題となる。本実施形態に係る製版システム１は、被印刷物が２ピース缶又は金属板であっても、複数のプロセス色のうちの３つ色の網点の刷り重ねにより色を表現可能な印刷版を作製することができる。よって、本実施形態に係る製版システム１は、被印刷物が２ピース缶又は金属板であっても、プロセス色だけで広い色域を確保しつつ、モアレの発生を抑制し、且つ、インキの混濁を抑制することが可能な印刷版を作製することができる。
【００７３】
更に、本実施形態に係る製版システム１を用いて印刷された缶体は、３つの色のうちの２つの色の刷り重ねが抜き合わせ方式で行われ、この３つの色のうちの残りの色と、抜き合わせ方式で刷り重ねられた２つの色との刷り重ねが掛け合わせ方式で行われる。それにより、本実施形態に係る製版システム１を用いて印刷された缶体は、プロセス色だけで広い色域を確保され、インキの混濁を抑制され、且つ、モアレの発生が更に抑制された印刷が施された缶体となり得る。
【００７４】
［他の実施形態］
上述の実施形態において、製版システム１で扱うプロセス色は、シアンＣ、マゼンタＭ、イエローＹ、レッドＲ、グリーンＧ、ブルーＢの７つの色としたが、これに限定されない。例えば、製版システム１で扱うプロセス色は、シアンＣ、マゼンタＭ、イエローＹ、オレンジＯ、グリーンＧ、ブラックＫの６色であってもよい。この場合、第１色群は、シアンＣ、マゼンタＭ、イエローＹで構成された色群であり、第２色群は、オレンジＯ、グリーンＧで構成された色群であってもよい。
【００７５】
上述の実施形態において、製版システム１は、２ピース缶等の缶体又は金属板を被印刷物とする印刷版を作製するシステムであった。製版システム１は、これに限定されず、ビン又はボトル等の非金属材の立体物を被印刷物とする印刷版を作製するシステムであってもよい。また、製版システム１は、紙、ラベル、フィルム又はシート等の平面形状物を被印刷物とする印刷版を作製するシステムであってもよい。
【００７６】
［その他］
上述の実施形態は、変形例を含めて各実施形態同士で互いの技術を適用することができる。上述の実施形態は、本発明の内容を限定するものではなく、特許請求の範囲を逸脱しない程度に変更を加えることができる。
【００７７】
上述の実施形態及び特許請求の範囲で使用される用語は、限定的でない用語として解釈されるべきである。例えば、「含む」という用語は、「含むものとして記載されたものに限定されない」と解釈されるべきである。「含有する」という用語は、「含有するものとして記載されたものに限定されない」と解釈されるべきである。「備える」という用語は、「備えるものとして記載されたものに限定されない」と解釈されるべきである。「有する」という用語は、「有するものとして記載されたものに限定されない」と解釈されるべきである。
【符号の説明】
【００７８】
１    製版システム
１０    データ処理装置
１１    分版処理部
１２    網点化条件設定部
１３    網点化処理部
１４    送信処理部
２０    版作製装置
３０    オフセット印刷機
Ｂ    ブルー
Ｃ    シアン
Ｇ    グリーン
Ｋ    ブラック
Ｍ    マゼンタ
Ｒ    レッド
Ｙ    イエロー
Ｗ    ホワイト
【図１】
0006874808.tif 000002
【図２】
0006874808.tif 000003
【図３】
0006874808.tif 000004
【図４】
0006874808.tif 000005
【図５】
0006874808.tif 000006
【図６】
0006874808.tif 000007